(57)【特許請求の範囲】
【請求項１】
外周に螺旋翼を設けた外管内に、底部に底板を有すると共に該底板の裏面に裏面に対して傾斜した掘削刃を兼用する抜け止め具を有し且つ外周面に集水口を有する、硬質材製のドレーンパイプを挿入して、上記外管を掘削方向に回転させたときに係合し、上記外管を掘削方向と反対方向に回転させたときに係合が外れる係合手段を介して上記外管とドレーンパイプとを相互に係脱自在に係合させる工程と、
上記外管を掘削方向に回転させることにより、上記ドレーンパイプを外管と共に掘削方向に回転させて、掘削刃を兼用する上記抜け止め具によって外管の推進方向の地盤を掘削しつつ上記螺旋翼を外管の周囲の地盤に食い込ませて上記外管とドレーンパイプとを共に地盤中に推進させる工程と、
上記外管とドレーンパイプとが所定の深さまで推進した時点で外管の回転を停止させ、上記外管を掘削方向とは反対方向に回転させて外管とドレーンパイプとの係合を外して外管を地盤から抜き取る一方、上記ドレーンパイプを抜け止め具によって抜け止めを図った状態で地盤中に留める工程とを具備することを特徴とするドレーンパイプ埋め込み工法。
【請求項２】
底面に底板を有すると共に該底板の裏面に裏面に対して傾斜した掘削刃を有し且つ外周に螺旋翼を有する底部側の部分と、この底部側以外の上側部分とに分割して、これら底部側の部分と上側部分とを、掘削方向に回転させたときに係合し、掘削方向と反対方向に回転させたときに係合が外れる係合手段を介して係脱自在に係合させてなる外管内に、外周面に集水口を有した硬質材製のドレーンパイプを挿入して、ドレーンパイプを外管の底部側の部分に固定させる工程と、
上記外管の上側部分を掘削方向に回転させることにより、上記外管の底部側の部分とドレーンパイプとを共に掘削方向に回転させて、上記掘削刃によって外管の推進方向の地盤を掘削しつつ上記螺旋翼を外管の周囲の地盤に食い込ませて上記外管とドレーンパイプとを共に地盤中に推進させる工程と、
上記外管とドレーンパイプとが所定の深さまで推進した時点で外管の上側部分の回転を停止させ、上記外管の上側部分を掘削方向とは反対方向に回転させて外管の上側部分と底部側の部分との係合を外して外管の上側部分を地盤から抜き取る一方、上記外管の底部側の部分とドレーンパイプとを地盤に食い込んだ螺旋翼によって抜け止めを図った状態で地盤中に留める工程とを具備することを特徴とするドレーンパイプ埋め込み工法。
【請求項３】
ドレーンパイプを地盤中に埋め込むドレーンパイプ埋め込み装置にして、
外周に螺旋翼を設け、回転駆動装置によって回転駆動されて螺旋翼が地盤に食い込みつつ地盤中に推進する外管と、
底部に底板を有すると共に該底板の裏面に裏面に対して傾斜した掘削刃を兼用する抜け止め具を有し、外周面に集水口を有して、上記外管の底部から抜け止め具が突出する状態で該外管内に挿入される、硬質材製のドレーンパイプと、
上記外管に設けられた係合部と、該係合部に係脱自在に係合する上記ドレーンパイプに設けられた被係合部とを有し、上記外管を地盤中に推進する掘削方向に回転させたときに係合部と被係合部とが係合して外管からドレーンパイプに回転トルクを伝達し、上記外管を掘削方向と反対の方向に回転させたときに係合部と被係合部との係合が外れて外管からドレーンパイプに回転トルクを伝達しない係合手段とを具備し、
上記ドレーンパイプは、上記外管を掘削方向に回転させたときに、上記係合手段を介して上記外管から伝達される回転トルクにより上記外管と共に回転して上記掘削刃を兼用する抜け止め具が上記外管の推進方向の地盤を掘削しつつ上記外管と共に地盤中に推進し、上記外管の掘削方向の回転を停止したときに、上記掘削刃を兼用する抜け止め具が地盤中に食い込んで抜け止めがなされた状態で地盤中に留まる、ことを特徴とするドレーンパイプ埋め込み装置。
【請求項４】
請求項３に記載のドレーンパイプ埋め込み装置にして、
上記抜け止め具は、上記底板の裏面に対して４５度の角度で傾斜していることを特徴とするドレーンパイプ埋め込み装置。
【請求項５】
ドレーンパイプを地盤中に埋め込むドレーンパイプ埋め込み装置にして、
底面に底板を有すると共に該底板の裏面に裏面に対して傾斜した掘削刃を設け且つ外周に螺旋翼を設けた底部側の部分と、この底部側以外の上側部分とに分割して、これら底部側の部分と上側部分とを、掘削方向に回転させたときに係合し、掘削方向と反対方向に回転させたときに係合が外れる係合手段を介して係脱自在に係合させてなる外管と、
外周面に集水口を有し、上記外管内に挿入されて上記底部側の部分に固定される硬質材製のドレーンパイプとを具備し、
上記外管は、上記上側部分を掘削方向に回転させたときに、上記底部側の部分が上側部分と共に掘削方向に回転して、上記掘削刃によって推進方向の地盤を掘削しつつ上記螺旋翼が周囲の地盤に食い込んで地盤中に推進し、上記上側部分を掘削方向と反対方向に回転させたときに、上側部分が地盤から抜け出る一方、底部側の部分が螺旋翼により抜け止めがなされ、
上記ドレーンパイプは、上記外管の上側部分を掘削方向に回転させることにより、上記外管の底部側の部分と共に掘削方向に回転して、地盤中に推進し、上記上側部分を掘削方向と反対方向に回転させたときに、上記螺旋翼により抜け止めがなされて上記外管の底部側の部分と共に地盤中に留まることを特徴とするドレーンパイプ埋め込み装置。
【請求項６】
請求項５に記載のドレーンパイプ埋め込み装置にして、
上記抜け止め具は、上記底板の裏面に対して４５度の角度で傾斜していることを特徴とするドレーンパイプ埋め込み装置。
【発明の詳細な説明】
【０００１】
【発明の属する技術分野】
本発明は、軟弱地盤にドレーンパイプを埋め込むためのドレーンパイプの埋め込み工法及び該ドレーンパイプ埋め込み工法に使用するドレーンパイプ埋め込み装置に関する。
【０００２】
【発明が解決しようとする課題】
一般に軟弱地盤では、住宅、ビル等の構造物を建設する際には予め地盤中に支持杭を複数本埋め込み、該支持杭で構造物を支持する工法が採用されている。しかし、埋め立て地等の軟弱地盤では、地震によっていわゆる液状化現象が生じて地下水が地表に噴出すると、支持杭の周囲の該支持杭を支えていた土砂の一部も地下水と共に地表に噴出してしまい、支持杭の支持機能が低下する。
【０００３】
そこで、支持杭の回りにドレーンパイプを埋め込み、地震により液状化現象が生じた場合、ドレーンパイプによって地下水のみを噴出させて、支持杭の回りの土砂が地表に噴出しないような対策が取られている。
【０００４】
ドレーンパイプを埋め込む工法としては、例えば、先ず、ドレーンパイプを埋め込む場所にケーシングオーガーを設置し、次いで、該ケーシングオーガーを回転させて必要な深さまで埋め込み、埋め込み後、ケーシングオーガーの回転を止めて該ケーシングオーガー内にドレーンパイプを挿入し、この後、ケーシングオーガーのみを埋め込み時とは反対方向に回転させてケーシングオーガーを抜き取り、ドレーンパイプを地盤中に埋め込む工法が知られている。
【０００５】
しかし、上記工法によれば、ケーシングオーガーを埋設した後にドレーンパイプを埋め込むために非常に手間がかかり、施工コストを高騰化させる原因となっている。特に、多数のドレーンパイプを埋め込まなければならない場合には、コスト、工期等の点で大きな問題となっている。
【０００６】
また、ケーシングオーガーを埋設した後にドレーンパイプを該ケーシングオーガー内に挿入するようにしているので、可撓性のある軟質なドレーンパイプを使用しなければならない。しかし、軟質なドレーンパイプの場合、ドレーンパイプの埋め込み後、周囲の土砂の圧力によって潰れ、地下水を排水することができなくなる事態が生じるおそれがある。
【０００７】
本発明は、上記事情に鑑みてなされたもので、施工コストを低減して工期の短縮を図ることができると共に、ドレーンパイプが周囲の土砂の圧力で潰れるおそれのない、ドレーンパイプ埋め込み工法及び該工法に使用するドレーンパイプ埋め込み装置を提供することを目的とする。
【０００８】
【課題を解決するための手段】
上記目的を達成する本発明のドレーンパイプ埋め込み工法によれば、外周に螺旋翼を設けた外管内に、底部に掘削刃を兼用する抜け止め具を有し且つ外周面に集水口を有する硬質材製のドレーンパイプを挿入して、上記外管を掘削方向に回転させたときに係合し、上記外管を掘削方向と反対方向に回転させたときに係合が外れる係合手段を介して上記外管とドレーンパイプとを相互に係脱自在に係合させる工程と、上記外管を掘削方向に回転させることにより、上記ドレーンパイプを外管と共に掘削方向に回転させて、掘削刃を兼用する上記抜け止め具によって外管の推進方向の地盤を掘削しつつ上記螺旋翼を外管の周囲の地盤に食い込ませて上記外管とドレーンパイプとを共に地盤中に推進させる工程と、上記外管とドレーンパイプとが所定の深さまで推進した時点で外管の回転を停止させ、上記外管を掘削方向とは反対方向に回転させて外管とドレーンパイプとの係合を外して外管を地盤から抜き取る一方、上記ドレーンパイプを抜け止め具によって抜け止めを図った状態で地盤中に留める工程とを具備することを特徴としている。
【０００９】
また、上記目的を達成する本発明のドレーンパイプ埋め込み装置によれば、外周に螺旋翼を設け、回転駆動装置によって回転駆動されて螺旋翼が地盤に食い込みつつ地盤中に推進する外管と、底部に掘削刃を兼用する抜け止め具を有し、外周面に集水口を有して、上記外管の底部から抜け止め具が突出する状態で該外管内に挿入される、硬質材製のドレーンパイプと、上記外管に設けられた係合部と該係合部に係脱自在に係合する上記ドレーンパイプに設けられた被係合部とを有し、上記外管を地盤中に推進する掘削方向に回転させたときに係合部と被係合部とが係合して外管からドレーンパイプに回転トルクを伝達し、上記外管を掘削方向と反対の方向に回転させたときに係合部と被係合部との係合が外れて外管からドレーンパイプに回転トルクを伝達しない係合手段とを具備し、上記ドレーンパイプは、上記外管を掘削方向に回転させたときに、上記係合手段を介して上記外管から伝達される回転トルクにより上記外管と共に回転して上記掘削刃を兼用する抜け止め具が上記外管の推進方向の地盤を掘削しつつ上記外管と共に地盤中に推進し、上記外管の掘削方向の回転を停止したときに、上記掘削刃を兼用する抜け止め具が地盤中に食い込んで抜け止めがなされた状態で地盤中に留まることを特徴としている。
【００１０】
さらに、上記目的を達成する本発明の他のドレーンパイプ埋め込み装置によれば、底面に掘削刃を設け且つ外周に螺旋翼を設けた底部側の部分とこの底部側以外の上側部分とに分割して、これら底部側の部分と上側部分とを、掘削方向に回転させたときに係合し、掘削方向と反対方向に回転させたときに係合が外れる係合手段を介して係脱自在に係合させてなる外管と、外周面に集水口を有し、上記外管内に挿入されて上記底部側の部分に固定される硬質材製のドレーンパイプとを具備し、上記外管は、上記上側部分を掘削方向に回転させたときに、上記底部側の部分が上側部分と共に掘削方向に回転して、上記掘削刃によって推進方向の地盤を掘削しつつ上記螺旋翼が周囲の地盤に食い込んで地盤中に推進し、上記上側部分を掘削方向と反対方向に回転させたときに、上側部分が地盤から抜け出る一方、底部側の部分が螺旋翼により抜け止めがなされ、上記ドレーンパイプは、上記外管の上側部分を掘削方向に回転させることにより、上記外管の底部側の部分と共に掘削方向に回転して、地盤中に推進し、上記上側部分を掘削方向と反対方向に回転させたときに、上記螺旋翼により抜け止めがなされて上記外管の底部側の部分と共に地盤中に留まることを特徴としている。
【００１１】
本発明のドレーンパイプ埋め込み工法、装置によれば、外管とドレーンパイプとを同時に埋め込むことができるので、施工コストを低減して工期の短縮を図ることができる上に、硬質材からなるドレーンパイプを使用することができて、ドレーンパイプの埋め込み後、ドレーンパイプが周囲の土砂の圧力により潰されるおそれはない。さらにドレーンパイプに設けた抜け止め金具や２分割にした外管の底部側の部分に設けた螺旋翼がアンカーとなって、地震時の振動や流砂現象等に伴ってドレーンパイプが地盤から浮き上がって抜け出ることを防止する。
【００１２】
【発明の実施の形態】
以下、本発明のドレーンパイプ埋め込み工法及び装置の一実施例について添付図面を参照して説明する。
【００１３】
図１は本発明のドレーンパイプ埋め込み装置の一実施例を示す部分正面図、図２は図１のドレーンパイプ埋め込み装置の部分側面図、図３は図１のドレーンパイプ埋め込み装置の部分拡大縦断面図、図４は図１のドレーンパイプ埋め込み装置の拡大平面図、図５はドレーンパイプ部分の拡大底面図、図６乃至図８は図１のドレーンパイプ埋め込み装置を使用してドレーンパイプを埋め込む、本発明のドレーンパイプ埋め込み工法の一実施例を示す、一部切除、一部省略した説明図である。
【００１４】
まず、本発明のドレーンパイプ埋め込み装置の一実施例について説明する。
【００１５】
本実施例のドレーンパイプ埋め込み装置は、頂部と底面（先端面）が開口し、底部側（先端側）の外周に螺旋翼１１を略一巻き設けた鋼管製の外管１０と、この外管１０内に同心状に挿入される硬質塩化ビニル製のドレーンパイプ２０とを具備している。
【００１６】
ドレーンパイプ２０の底部（先端）には、図３に示すように、その外径よりも大きな直径を有する円板状の底板２１が短尺の筒体２２と連結ピン２３とを介して取り付けられている。すなわち、底板２１の表面に筒体２２を立設し、この筒体２２をドレーンパイプ２０の底部開口（先端開口）から挿入して、連結ピン２３をドレーンパイプ２０と筒体２２とに直径方向に挿通することにより、ドレーンパイプ２０の底部端面（先端面）を底板２１に表面に当接させた状態で、ドレーンパイプ２０の底部（先端）に底板２１が取り付けられている。
【００１７】
底板２１の裏面には、掘削刃を兼用する２枚の抜け止め具２４が、それぞれ底板２１の中心側から外管１０の外側に突出して直径方向に延びるように取り付けられている。これら２枚の抜け止め具２４は、それぞれ底板２１の中心側に位置してドレーンパイプ２０（外管１０）の推進方向側に突出する部分２４ａと、外管１０の外側に位置してドレーンパイプ２０（外管１０）の推進方向と反対側に突出する部分２４ｂとを一体に設けた板片からなり、底板２１の裏面に対して略４５°の角度で互いに反対方向に傾斜するように取り付けられている（図１及び図２等参照）。このように２枚の抜け止め具２４を、底板２１の裏面に垂直に起立させるのではなく、互いに反対方向に傾斜するように取り付けると、一旦掘削した土砂が抜け止め具２４に沿って外管１０の外周側に運ばれて、外管１０の底部側に戻って圧搾されるようなことがないことから、掘削効率を向上させることができる。また、抜け止め具２４を、底板２１の裏面に対して傾斜させ、且つ部分２４ｂを外管１０の外側に突出させるようにすると、一旦地盤に食い込んだ場合にドレーンパイプ２０を地盤から抜き取る方向の力に対して抵抗するようになる。
【００１８】
ドレーンパイプ２０の底部側の外周面には複数の集水口２５が設けられ、またドレーンパイプ２０の底部側にはこれら集水口２５の目詰まりを防止する、筒状の網部材２６が被せられている。地下水は、網部材２６から集水口２５を通ってドレーンパイプ２０内に進入して、ドレーンパイプの頂部から地表に出て排水されることになる。
【００１９】
また、上記ドレーンパイプ埋め込み装置には、オーガー（回転駆動装置）により外管１０を地盤中に推進する掘削方向に回転させたときに係合して外管１０からドレーンパイプ２０に回転トルクを伝達し、また外管１０を掘削方向と反対の方向に回転させたときに係合が外れて外管１０からドレーンパイプ２０に回転トルクを伝達しないようにする係合手段３０が装備されている。この係合手段３０は、外管１０側に設けられた係合部３１と、この係合部３１に係脱自在に係合するドレーンパイプ２０側に設けられた被係合部３２とからなる。係合部３１は、略Ｌ字状で、外管１０の底部外周面の２カ所に、外管１０の底面から突出し且つ直径方向に対向するようにして溶接、ボルト等の固定手段で固定されている。また、被係合部３２は、棒状で、底板２１の裏面の２カ所に、底板２１の周縁から外側に突出して直径方向に延びるように溶接、ボルト等の固定手段で固定されている。
【００２０】
次に、上記ドレーンパイプ埋め込み装置を使用した本発明のドレーンパイプ埋め込み工法の一実施例を図６乃至図８を参照して説明する。
【００２１】
まず、外管１０内にドレーンパイプ２０を、抜け止め具２４を外管１０の底部（先端）から突出させた状態で、同心状に挿入して、係合部３１と被係合部３２とを係合させ、次いで支持杭を埋設した箇所の周囲の適宜箇所に外管１０及びドレーンパイプ２０を起立させた状態で設置して、外管１０の頂部に掘進モータ（図示せず）を取り付ける。
【００２２】
次いで、掘進モータを駆動して外管１０を地盤中に推進する掘削方向（螺旋翼１１の螺旋方向）に回転させると、係合部３１から被係合部３２に回転トルクが伝達されてドレーンパイプ２０が外管１０と共に掘削方向に回転して、抜け止め具２４が外管１０の底部側（推進方向）の地盤を掘削しつつ螺旋翼１１が外管１０の周囲の地盤に食い込んで地盤中に推進する（図６参照）。このとき、抜け止め具２４が受ける掘削抵抗は係合手段３０を介して外管１０に伝達されるため、掘削抵抗による捩り応力がドレーンパイプ２０に作用するおそれはない。
【００２３】
外管１０及びドレーンパイプ２０が所定の深さまで推進したら掘進モータを停止して外管１０の回転駆動を止める。次いで、掘進モータにより外管１０を掘削方向とは反対の方向に回転させると、係合部３１と被係合部３２との係合が外れて、ドレーンパイプ２０は地盤に食い込んだ抜け止め具２４によって地盤中に留まった状態で外管１０のみが地表側に戻されて地盤から抜き取ることができる（図７参照）。
【００２４】
外管１０をドレーンパイプ２０から完全に外した後、図８に示すようにドレーンパイプ２０の頂部に逆Ｕ字管４０を取り付ける。これにより、地震等で液状化現象が生じても地下水のみをドレーンパイプ２０と逆Ｕ字管４０を介して地表に排出し、支持杭の回りの土砂が地下水と共に排出されないようにすることができる。
【００２５】
上記実施例によれば、外管１０とドレーンパイプ２０とを同時に埋め込むようにしてあるので、ケーシングオーガーを埋設した後、該ケーシングオーガー内にドレーンパイプを挿入し、この後、ケーシングオーガーを抜き取る従来の工法に比して工程数を減らすことができ、特に支持杭の周囲に複数本のドレーンパイプを埋め込む場合には工期の大幅な短縮を図ることができる。
【００２６】
また、硬質材製のドレーンパイプ２０を利用できることから、地盤中に埋設後に、周囲の土砂の圧力によって潰れるおそれがなく、地震時に液状化現象が生じても地下水のみを確実に排水することができる。
【００２７】
さらに、地盤中に埋設された、硬質塩化ビニル製の軽重量のドレーンパイプ２０は、抜け止め具２４により抜け止めがなされているので（抜け止め具２４がアンカーとなっているので）、地震時の振動や流砂現象等により浮き上がって地盤より抜け出るおそれはない。さらにまた、抜け止め具２４は、掘削刃を兼用しており、しかも底板２１の裏面に対して略４５°の角度で傾斜していることから掘削効率が良い（埋設効率が良い）。
【００２８】
なお、ドレーンパイプ２０は、液状化現象が生じた時に地下水の排水に利用する他に、地下水の汲み上げによる地盤沈下を防止するために雨水を地盤中に送水する場合等にも利用することができる。
【００２９】
図９は本発明のドレーンパイプ埋め込み装置の他の実施例を示す一部省略した正面図である。
【００３０】
この実施例によれば、外管１０は、ドレーンパイプ２０と共に地盤中に埋め込めれる底部側（先端側）の部分１２と、ドレーンパイプ２０の埋め込み後に地盤から抜き取られる上側部分１３とに分割されている。また、ドレーンパイプ２０は、底板２１、抜け止め具２４、被係合部３２が省略されており、外管１０の底部側（先端側）の部分１２に直接取り付けられている。
【００３１】
底部側の部分１２の外周面には螺旋翼１４が略一巻設けられ、また底面には底板１５が固定されている。底板１５の表面側には、ドレーンパイプ２０の底部が取り付けられている。また、底板１５の裏面には、２枚の掘削刃１６が直径方向に延び且つ略４５°の角度で互いに反対方向に傾斜して固定されている。なお、螺旋翼１４を外管１０の上側部分１３の外周面に設けてもよい。
【００３２】
係合手段３０のうち、係合部３１は外管１０の上側部分１３の下端側外周面の２カ所に固定され、また被係合部３２は外管１０の底部側の部分１２の上端側外周面の２カ所に固定されている。
【００３３】
なお、ドレーンパイプ２０の底部側の外周面には、複数の集水口２５が設けられ、またドレーンパイプ２０の底部側には、筒状の網部材２６が被せられているが、このことは、図１乃至図５に示す実施例と同様である。
【００３４】
次に、図９に示すドレーンパイプ埋め込み装置を使用した、本発明のドレーンパイプ埋め込み工法の他の実施例を説明する。
【００３５】
まず、ドレーンパイプ２０を外管１０の底部側の部分１２に固定させ、次いでドレーンパイプ２０と外管１０とを埋設箇所に設置し、外管１０の上側部分１３の頂部側に掘進モータ（図示せず）を取り付ける。
【００３６】
次いで、掘進モータを駆動して外管１０の上側部分１３を掘削方向に回転させると、係合部３１が被係合部３２と係合して上側部分１３の回転トルクが底部側の部分１２に伝達され、底部側の部分１２とドレーンパイプ２０とが共に掘削方向に回転し、掘削刃１６によって外管１０の推進方向の地盤を掘削しつつ螺旋翼１４が外管１０の周囲の地盤に食い込んで外管１０とドレーンパイプ２０が共に地盤中に推進する。
【００３７】
外管１０とドレーンパイプ２０とが所定の深さまで推進した時点で掘進モータを停止させる。次いで、掘進モータにより外管１０の上側部分１３を掘削方向とは反対方向に回転させると、係合部３１と被係合部３２との係合が外れ、底部側の部分１２とドレーンパイプ２０とを地盤に食い込んだ螺旋翼１４によって抜け止めを図った状態で、上側部分１３が地盤から抜き取られる。
【００３８】
上側部分１３をドレーンパイプ２０から完全に外した後、図８に示す場合と同様にドレーンパイプ２０の頂部に逆Ｕ字管を取り付ける。
【００３９】
上記他の実施例によれば、図１乃至図８に示す実施例と同様に、従来の工法に比して工程数を減らすことができ、特に支持杭の周囲に複数本のドレーンパイプを埋め込む場合には工期の大幅な短縮を図ることができる。
【００４０】
また、硬質材製のドレーンパイプ２０を利用することができることに加えてドレーンパイプ２０の底部側は外管１０の底部側の部分１２によって保護されていることから、地震時に液状化現象が生じても図１乃至図８に示す実施例の場合よりも更に確実に地下水を排水することができる。
【００４１】
さらに、硬質塩化ビニル製の軽重量のダレーンパイプ２０は、外管１０の底部側の部分１２に設けた螺旋翼１４により抜け止めがなされているので（螺旋翼がアンカーとなっているので）、地震時の振動や流砂現象等に伴って浮き上がって地盤から抜け出るのが防止される。
【００４２】
なお、上記両実施例では、係合手段３０を略Ｌ字状の係合部３１と棒状の被係合部３２とで構成した場合を示したが、これに限定されるものではなく、例えば図１０に示すように、外管１０の内周面に略台形状の係合部３３を設け、また底板２１の周縁側の表面に同じく略台形状の被係合部３４を設けてもよい。
【００４３】
この場合、外管１０を掘削方向（図１０中の矢印方向）に回転させたときに、係合部３３の垂直面３３ａが被係合部３４の垂直面３４ａに係合（当接）して、外管１０からドレーンパイプ２０に回転トルクが伝達される。また、外管１０を掘削方向と反対の方向（図１０中の矢印と反対の方向）に回転させたときに、係合部３３の傾斜面３３ｂが被係合部３４の傾斜面３４ｂに乗り上げて係合部３３が被係合部３４から離れ、外管１０からドレーンパイプ２０に回転トルクが伝達されない。
【００４４】
【発明の効果】
以上説明したように、本発明によれば、外管内にドレーンパイプを挿入して外管とドレーンパイプとを同時に埋め込むようにしているので、手間がかからず、施工コストを低減して工期の短縮を図ることができる。また、硬質材製のドレーンパイプを使用することができて、ドレーンパイプの埋め込み後、ドレーンパイプが周囲の土砂の圧力により潰されるおそれはない。さらに、ドレーンパイプの底部（先端）に設けた抜け止め具又は外管の底部側の部分に設けた螺旋翼がアンカーとなるので、硬質塩化ビニル製等の軽重量のドレーンパイプを使用しても地震時の振動や流砂現象等により地盤から抜け出るのを防止することができる。
【図面の簡単な説明】
【図１】本発明のドレーンパイプ埋め込み装置の一実施例を示す部分正面図である。
【図２】図１のドレーンパイプ埋め込み装置の部分側面図である。
【図３】図１のドレーンパイプ埋め込み装置の部分拡大縦断面図である。
【図４】図１のドレーンパイプ埋め込み装置の拡大平面図である。
【図５】ドレーンパイプの部分の拡大底面図である。
【図６】図１のドレーンパイプ埋め込み装置を使用してドレーンパイプを埋め込む、本発明のドレーンパイプ埋め込み工法の一実施例を示す、一部切除、一部省略した説明図である。
【図７】図１のドレーンパイプ埋め込み装置を使用してドレーンパイプを埋め込む、本発明のドレーンパイプ埋め込み工法の一実施例を示す、一部切除、一部省略した説明図である。
【図８】図１のドレーンパイプ埋め込み装置を使用してドレーンパイプを埋め込む、本発明のドレーンパイプ埋め込み工法の一実施例を示す、一部切除、一部省略した説明図である。
【図９】本発明のドレーンパイプ埋め込み装置の他の実施例を示す、一部切除して示した部分正面図である。
【図１０】図１、図９に示す係合手段の他の実施例を示す斜視図である。
【符号の説明】
１０  外管
１１、１４  螺旋翼
２０  ドレーンパイプ
２１  底板
２４  抜け止め具
２５  集水口
２６  網部材
３０  係合手段
３１、３３  係合部
３２、３４  被係合部
【図１】
0003836201.tif 000002
【図２】
0003836201.tif 000003
【図３】
0003836201.tif 000004
【図４】
0003836201.tif 000005
【図５】
0003836201.tif 000006
【図６】
0003836201.tif 000007
【図７】
0003836201.tif 000008
【図８】
0003836201.tif 000009
【図９】
0003836201.tif 000010
【図１０】
0003836201.tif 000011